(57)【要約】【課題】衝突時に電源装置およびケーブルを損傷から効率よく保護可能な車両用電源固定構造を提供することを目的とする。【解決手段】固定構造１００は、車両のフロアパネル１０４上の左側にコンバータ１０６を固定する。コンバータ１０６は、車幅方向内側からケーブル１２２が延びている。固定構造１００は、コンバータ１０６をフロアパネル１０４に取り付ける前側ブラケット１３３ａと、前側ブラケット１３３ａの車両後方に設けられてコンバータ１０６をフロアパネル１０４に取り付ける後側ブラケット１３３ｂとを備える。前側ブラケット１３３ａおよび後側ブラケット１３３ｂの各々は、コンバータ１０６の下側からコンバータ１０６よりも車幅方向内側に延びる脚部１３４ａ、１３４ｂと、脚部１３４ａ、１３４ｂからフロアパネル１０４に向かって屈曲してフロアパネル１０４に接続される接続部１３６ａ、１３６ｂを有する。【選択図】図４
2020011607.tif 000002
【特許請求の範囲】
【請求項１】
車両のフロアパネル上の右側または左側に電源装置を固定する車両用電源固定構造において、
前記電源装置は、車幅方向内側から所定のケーブルが延びていて、
当該車両用電源固定構造は、
前記電源装置を前記フロアパネルに取り付ける前側ブラケットと、
前記前側ブラケットの車両後方に設けられて前記電源装置を前記フロアパネルに取り付ける後側ブラケットとを備え、
前記前側ブラケットおよび後側ブラケットの各々は、
前記電源装置の下側から該電源装置よりも車幅方向内側に延びる脚部と、
前記脚部から前記フロアパネルに向かって屈曲して該フロアパネルに接続される接続部とを有することを特徴とする車両用電源固定構造。
【請求項２】
当該車両用電源固定構造はさらに、
前記電源装置の車両前側に沿って前記フロアパネルに設置され該電源装置よりも車幅方向外側に延びている前側プロテクタと、
前記電源装置の車両後側に沿って前記フロアパネルに設置され該電源装置よりも車幅方向外側に延びている後側プロテクタとを備え、
前記前側プロテクタおよび前記後側プロテクタのうち一方は、他方よりも車幅方向外側からの荷重に対する剛性が低いことを特徴とする請求項１に記載の車両用電源固定構造。
【請求項３】
車両のフロアパネル上の右側または左側に電源装置を固定する車両用電源固定構造において、
前記電源装置は、車幅方向内側から所定のケーブルが延びていて、
当該車両用電源固定構造は、
前記電源装置の車両前側に沿って前記フロアパネルに設置され該電源装置よりも車幅方向外側に延びている前側プロテクタと、
前記電源装置の車両後側に沿って前記フロアパネルに設置され該電源装置よりも車幅方向外側に延びている後側プロテクタとを備え、
前記前側プロテクタおよび前記後側プロテクタのうち一方は、他方よりも車幅方向外側からの荷重に対する剛性が低いことを特徴とする車両用電源固定構造。
【請求項４】
前記一方は前記後側プロテクタであり、該後側プロテクタは、前記電源装置および前側プロテクタよりも車幅方向内側に延びていて該前側プロテクタよりも剛性の低い脆弱部を有することを特徴とする請求項２または３に記載の車両用電源固定構造。
【請求項５】
前記前側プロテクタおよび前記後側プロテクタの一部は、座席用の左右一対のスライドレールのうち車幅方向外側のスライドレールと前記フロアパネルとの間の空間に挿入されていることを特徴とする請求項２から４のいずれか１項に記載の車両用電源装置固定構造。
【発明の詳細な説明】
【技術分野】
【０００１】
本発明は、車両用電源固定構造に関するものである。
【背景技術】
【０００２】
ハイブリッド車（ＨＥＶ）には、モータのみで自走可能なタイプや、エンジンを主要動力としつつモータで補助を行うタイプのものが存在する。前者のタイプと比較して、後者のタイプでは、モータに求める駆動力がさほど大きくないため、モータの他、バッテリおよび整流器（ＤＣＤＣコンバータ）など（以下、バッテリや整流器を総称して「電源装置」と称呼する）は比較的小型のものを採用することができる。電源装置の設置の例として、特許文献１の技術では、フロントシートの下方の空間に走行用バッテリを設置している。
【先行技術文献】
【特許文献】
【０００３】
【特許文献１】特開２０１８−３９４８３号公報
【発明の概要】
【発明が解決しようとする課題】
【０００４】
特許文献１の技術では、側面衝突が起こった場合の走行用バッテリの損傷抑制を目的として、走行用バッテリをフロントシートの左右一対のロアレールの間に設置している。しかしながら、現在では、電源装置自体の保護もさることながら、電源装置から延びているケーブルの損傷防止についても要請されている。ケーブルの損傷は、漏電をも招きかねないため、衝突時の車体変形までも想定にいれた十全な防止対策が求められている。
【０００５】
本発明は、このような課題に鑑み、衝突時に電源装置およびケーブルを損傷から効率よく保護可能な車両用電源固定構造を提供することを目的としている。
【課題を解決するための手段】
【０００６】
上記課題を解決するために、本発明にかかる車両用電源固定構造の代表的な構成は、車両のフロアパネル上の右側または左側に電源装置を固定する車両用電源固定構造において、電源装置は、車幅方向内側から所定のケーブルが延びていて、当該車両用電源固定構造は、電源装置をフロアパネルに取り付ける前側ブラケットと、前側ブラケットの車両後方に設けられて電源装置をフロアパネルに取り付ける後側ブラケットとを備え、前側ブラケットおよび後側ブラケットの各々は、電源装置の下側から電源装置よりも車幅方向内側に延びる脚部と、脚部からフロアパネルに向かって屈曲してフロアパネルに接続される接続部とを有することを特徴とする。
【発明の効果】
【０００７】
本発明によれば、衝突時に電源装置およびケーブルを損傷から効率よく保護可能な車両用電源固定構造を提供することが可能になる。
【図面の簡単な説明】
【０００８】
【図１】本発明の実施例にかかる車両用電源固定構造の実施場所を示す斜視図である。
【図２】図１の座席を取り外して上方から見た図である。
【図３】図２のコンバータ付近を各方向から見た斜視図である。
【図４】図２のコンバータ付近の拡大斜視図である。
【図５】側面衝突時の車体変形に伴うコンバータの動きを模式的に示した図である。
【発明を実施するための形態】
【０００９】
本発明の一実施の形態に係る車両用電源固定構造は、車両のフロアパネル上の右側または左側に電源装置を固定する車両用電源固定構造において、電源装置は、車幅方向内側から所定のケーブルが延びていて、当該車両用電源固定構造は、電源装置をフロアパネルに取り付ける前側ブラケットと、前側ブラケットの車両後方に設けられて電源装置をフロアパネルに取り付ける後側ブラケットとを備え、前側ブラケットおよび後側ブラケットの各々は、電源装置の下側から電源装置よりも車幅方向内側に延びる脚部と、脚部からフロアパネルに向かって屈曲してフロアパネルに接続される接続部とを有することを特徴とする。
【００１０】
上記構成によれば、例えば側面衝突によって電源装置に車幅方向外側から衝突荷重がかかった場合、前側ブラケットおよび後側ブラケットが脚部と接続部との間の屈曲箇所で座屈し、電源装置は車幅方向内側のフロアパネルに向かって沈み込むように移動する。電源装置の車幅方向内側から延びるケーブルは、多くの場合、車内側のフロアパネルの上に配索されて他所へ向かっている。上記の電源装置を車幅方向内側のフロアパネルへ沈み込ませる移動であれば、フロアパネルから離れる方向への移動に比べて、ケーブルを引っ張ることが無く、ケーブルを損傷から保護しつつ、衝突荷重を受け流すことが可能になる。
【００１１】
当該車両用電源固定構造はさらに、電源装置の車両前側に沿ってフロアパネルに設置され電源装置よりも車幅方向外側に延びている前側プロテクタと、電源装置の車両後側に沿ってフロアパネルに設置され電源装置よりも車幅方向外側に延びている後側プロテクタとを備え、前側プロテクタおよび後側プロテクタのうち一方は、他方よりも車幅方向外側からの荷重に対する剛性が低いとよい。
【００１２】
上記構成によれば、側面衝突によって例えばサイドシル等の構造物が車幅方向内側に移動してきた場合、前側プロテクタおよび後側プロテクタが電源装置よりも車幅方向外側に延びていることで、仮に構造物が移動してきたとしても電源装置との接触を防ぐことができる。加えて、前側プロテクタおよび後側プロテクタに剛性差を設けることで、車幅方向外側から荷重がかかった場合に一方側のプロテクタを優先的に変形させ、電源装置への荷重を受け流すことができる。そして、車体変形に伴う電源装置の移動をあらかじめ設定した方向へと導くことで、電源装置のケーブルを引っ張る方向への移動を防ぎ、ケーブルを破損から保護することができる。
【００１３】
本発明の他の一実施の形態に係る車両用電源固定構造は、車両のフロアパネル上の右側または左側に電源装置を固定する車両用電源固定構造において、電源装置は、車幅方向内側から所定のケーブルが延びていて、当該車両用電源固定構造は、電源装置の車両前側に沿ってフロアパネルに設置され電源装置よりも車幅方向外側に延びている前側プロテクタと、電源装置の車両後側に沿ってフロアパネルに設置され電源装置よりも車幅方向外側に延びている後側プロテクタとを備え、前側プロテクタおよび後側プロテクタのうち一方は、他方よりも車幅方向外側からの荷重に対する剛性が低いことを特徴とする車両用電源固定構造。
【００１４】
上記構成においても、前側プロテクタおよび後側プロテクタが電源装置よりも車幅方向外側に延びていることで、車外側から移動してきた構造物と電源装置との接触を防ぐことができる。また、前側プロテクタおよび後側プロテクタに剛性差を設けることで、車幅方向外側から荷重がかかった場合に一方側のプロテクタを優先的に変形させ、電源装置への荷重を受け流すことができる。このようにして、車体変形に伴う電源装置の移動をあらかじめ設定した方向へと導くことで、電源装置のケーブルを引っ張る方向への移動を防ぎ、ケーブルを破損から保護することが可能となる。
【００１５】
一方は後側プロテクタであり、後側プロテクタは、電源装置および前側プロテクタよりも車幅方向内側に延びていて前側プロテクタよりも剛性の低い脆弱部を有するとよい。
【００１６】
上記構成によれば、後側プロテクタを優先的に変形させ、その脆弱部を中心とした回転する動作で、電源装置にかかる荷重を効率よく受け流すことができる。
【００１７】
前側プロテクタおよび後側プロテクタの一部は、座席用の左右一対のスライドレールのうち車幅方向外側のスライドレールとフロアパネルとの間の空間に挿入されていてもよい。
【００１８】
側面衝突時が起こると、スライドレールは車幅方向外側からの荷重によって車幅方向内側に傾くように移動する。このスライドレールが上方に存在していることによって、仮に電源装置がフロアパネルから浮き上がろうとしても、そのような移動は阻まれる。したがって、上記構成によっても、ケーブルを引っ張る方向への電源装置の移動を防ぎ、上述した沈み込ませる移動を促すことが可能になる。
【実施例】
【００１９】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
図１は、本発明の実施例にかかる車両用電源固定構造（以下、固定構造１００）の実施場所を示す斜視図である。以下、図１その他の本願のすべての図面において、車両前後方向をそれぞれ矢印F(Forward)、B(Backward)、車幅方向の左右をそれぞれ矢印L(Leftward)、R(Rightward)、車両上下方向をそれぞれ矢印U(Upward)、D(Downward)で例示する。
【００２１】
当該固定構造１００は、車室内のうち、前列左側の座席１０２の下方にて、フロアパネル１０４に電源装置（図２のコンバータ１０６）を固定することを主な目的としている。加えて、当該固定構造１００には、独自の機能として、車両衝突時、特に側面衝突が起こった場合に、コンバータ１０６とそのケーブル１２２の損傷を抑える機能が搭載されている。
【００２２】
図２は、図１の座席を取り外して上方から見た図である。当該固定構造１００は、フロアパネル１０４上の左側にＤＣＤＣコンバータ（コンバータ１０６）を固定している。
【００２３】
フロアパネル１０４の上の構造物の概要を説明する。フロアパネル１０４のうち、車幅方向中央にはセンタトンネル１１０が設けられ、車幅方向の端部（例えば左端）にはサイドシル１１２が設けられている。また、フロアパネル１０４の上には、センタトンネル１１０とサイドシル１１２とに車幅方向にわたるよう、前側クロスメンバ１１４と後側クロスメンバ１１６とが設けられている。前側クロスメンバ１１４と後側クロスメンバ１１６とには、ブラケット１１８を介して、座席用の左右一対のスライドレール１２０ａ、１２０ｂが設けられている。コンバータ１０６は、フロアパネル１０４の左側にて、前側クロスメンバ１１４と後側クロスメンバ１１６、およびスライドレール１２０ａ、１２０ｂに囲われた範囲に配置されている。
【００２４】
コンバータ１０６は、電源装置の一種であって、電圧を変換したり安定化させたりする装置である。コンバータ１０６の車幅方向内側（以下、車内側と略称する）からは複数のケーブル１２２が延びていて、ケーブル１２２はコンバータ１０６からフロアパネル１０４の貫通孔１２４を通って他所に向かっている。なお、フロアパネル１０４の右側には、他の電源装置として、バッテリ１２６が配置されている。当該固定構造１００の持つ技術的思想は、コンバータ１０６の固定および保護を行うものであるが、バッテリ１２６の固定および保護に応用することも可能である。
【００２５】
図３は、図２のコンバータ１０６付近を各方向から見た斜視図である。図３（ａ）は、図２のコンバータ１０６等を車両前側の右上方から見た図である。コンバータ１０６は矩形であって、前側プロテクタ１３２および後側プロテクタ１２８によって前後の側面が覆われている。コンバータ１０６の車内側の部位、すなわちケーブル１２２が接続する部位は、開放されているものの、後側プロテクタ１２８、後述する前側ブラケット１３３ａおよび後側ブラケット１３３ｂ（図４（ａ）参照）がコンバータ１０６よりも車内側に延びているため、他の構造物に接触することは防がれている。
【００２６】
図３（ｂ）は、コンバータ１０６等を車両後側の右上方から見た図である。コンバータ１０６のうち、上面の大部分とケーブル１２２が接続する車内側とは、開放されている。コンバータ１０６は、前側プロテクタ１３２および後側プロテクタ１２８に前後から把持され、前側ブラケット１３３ａおよび後側ブラケット１３３ｂ等によってフロアパネル１０４に取り付けられている。
【００２７】
図４は、図２のコンバータ１０６付近の拡大斜視図である。図４（ａ）は、コンバータ１０６等を車両前側の右上方から見た図である。前側ブラケット１３３ａおよび後側ブラケット１３３ｂは、共にコンバータ１０６の前後２箇所に平行に設けられていて、締結具１３８ａ、１３８ｂによってフロアパネル１０４（図３（ｂ）等参照）に締結されている。
【００２８】
前側ブラケット１３３ａは、コンバータ１０６の前側であって、前側プロテクタ１３２に隣接した箇所に設けられている。後側ブラケット１３３ｂは、コンバータ１０６の後側であって前側ブラケット１３３ａの後方にて、後側プロテクタ１２８に隣接した箇所に設けられている。前側ブラケット１３３ａおよび後側ブラケット１３３ｂのうち、脚部１３４ａ、１３４ｂは、コンバータ１０６の下側からコンバータ１０６よりも車内側に延びている。脚部１３４ａ、１３４ｂの先端には、接続部１３６ａ、１３６ｂが設けられている。接続部１３６ａ、１３６ｂは、脚部１３４ａ、１３４ｂからフロアパネル１０４に向かって屈曲し、フロアパネル１０４に締結具１３８ａ、１３８ｂで接続されている。
【００２９】
前側プロテクタ１３２は、コンバータ１０６の主に前側の側面を保護している。前側プロテクタ１３２は、コンバータ１０６の側面を覆う壁状の前側壁部１３２ａと、前側壁部１３２ａの上端から屈曲してコンバータ１０６の上面を把持する前側上部１３２ｂとを含んでいる。前側プロテクタ１３２は、コンバータ１０６よりも車幅方向外側（以下、車外側と略称する）に延び、車外側プロテクタ１３０につながっている。
【００３０】
図４（ｂ）は、コンバータ１０６等を車両後側の左上方から見た図である。後側プロテクタ１２８は、コンバータ１０６の主に後側の側面を保護している。後側プロテクタ１２８もまた、コンバータ１０６の側面を覆う壁状の後側壁部１２８ａと、後側壁部１２８ａの上端から屈曲してコンバータ１０６の上面を把持する後側上部１２８ｂとを含んでいる。後側壁部１２８ａは、車幅方向にコンバータ１０６よりも長く、各所に肉抜が形成されている。特に、後側プロテクタ１２８は、コンバータ１０６よりも車外側に延び、車外側プロテクタと繋がっている。
【００３１】
車外側プロテクタ１３０は、後側プロテクタ１２８と前側プロテクタ１３２それぞれの車外側の端からつながっていて、コンバータ１０６の車外側の側面を保護している。車外側プロテクタ１３０によって、側面衝突時等において車外側の構造物が車内側へ移動してきたとしても、その構造物とコンバータ１０６との接触が防止できる。
【００３２】
当該固定構造１００は、コンバータ１０６にかかり得る車両衝突時の荷重を吸収する構成が各所に設けられている。まず、図４（ａ）に示すように、前側ブラケット１３３ａおよび後側ブラケット１３３ｂには、変形を誘発しやすい部位として、脚部１３４ａ、１３４ｂと接続部１３６ａ、１３６ｂとの間に、屈曲箇所として山折り部１４８ａ、１４８ｂおよび谷折り部１５０ａ、１５０ｂが形成されている。これら山折り部１４８ａ、１４８ｂおよび谷折り部１５０ａ、１５０ｂは、車外側からの荷重を受けて座屈し、荷重を受け流すことが可能になっている。
【００３３】
図５は、側面衝突時の車体変形に伴うコンバータ１０６の動きを模式的に示した図である。図５（ａ）は、側面衝突時の車体変形に伴うコンバータ１０６の動きを車両後方から見て概略的に示した図である。車両衝突の例として、電信柱等のポールに横から衝突した状況、いわゆるポール側面衝突を想定する。
【００３４】
車両に左側方から荷重Ｐ１がかかると、まずサイドシル１１２が車室内側に変形する。このとき、サイドシル１１２等の構造物とコンバータ１０６との直接的な接触は、車外側プロテクタ１３０（図４（ｂ）参照）や前側プロテクタ１３２および後側プロテクタ１２８によって防止される。さらに、各プロテクタにかかり得る車外側からの荷重Ｐ１は、後側ブラケット１３３ｂの山折り部１４８ｂと谷折り部１５０ｂが矢印Ｐ２の方向へ蛇腹状に折り畳むように座屈することで受け流される。この座屈は、図４（ａ）に示した前側ブラケット１３３ａにも同様に生じる。これらによって、締結具１３８ｂにかかる負荷は低減され、締結具１３８ｂの脱落等を防いでコンバータ１０６をフロアパネル１０４の上に保持することができる。
【００３５】
上記の座屈は、矢印Ｐ２の方向へ、コンバータ１０６の全体を車内側のフロアパネル１０４に向かって沈み込ませるように移動させる。図２に示したように、コンバータ１０６の車内側からは、ケーブル１２２がフロアパネル１０４を貫通するように延びている。もし、コンバータ１０６がフロアパネル１０４から浮き上がったり、ケーブル１２２から遠ざかる方向へ移動したりすると、ケーブル１２２が引っ張られ、ケーブル１２２の破損および漏電を招くおそれがある。コンバータ１０６を車内側のフロアパネル１０４へ沈み込ませる移動であれば、フロアパネル１０４から離れる方向への移動に比べて、ケーブル１２２を引っ張ること無く荷重を吸収でき、ケーブル１２２を損傷から効率よく保護することが可能になる。
【００３６】
図５（ｂ）は、図２に対応してコンバータ１０６を上方から示した図である。荷重の吸収を行う部位として、後側プロテクタ１２８の車内側には、コンバータ１０６および前側プロテクタ１３２よりも車内側に延びた箇所に、脆弱部１４０が設けられている。図４（ｂ）に示すように、脆弱部１４０では、後側上部１２８ｂから後側壁部１２８ａにかけて、二つの切欠き１４２、１４４が形成され、また、後側壁部１２８ａのうち切欠き１４４の下方に肉抜１４６が形成され、脆弱な構造になっている。この構造によって、脆弱部１４０は、前側プロテクタ１３２と比べて、また、後側プロテクタ１２８のうちコンバータ１０６に沿っている部位と比べて、車外側からの荷重に対する剛性が低くなっていて、車両衝突時にあえて変形を誘発しやすい構成となっている。
【００３７】
図５（ｂ）にも、上述した車外側からの荷重Ｐ１を示している。前側プロテクタ１３２および後側プロテクタ１２８に荷重Ｐ１がかかった場合、後側プロテクタ１２８の車内側に設けられた脆弱部１４０が優先的に変形する。詳しくは、後側プロテクタ１２８が、脆弱部１４０の切欠き１４２、１４４を閉じるようにして、上方から見て矢印Ｐ３の方向に“くの字”に変形する。また、前側プロテクタ１３２と後側プロテクタ１２８は、上方から見て互いの車内側が開くように全体的に“ハの字”に変形し、コンバータ１０６を車内側に逃がして荷重を受け流す。これら前側プロテクタ１３２および後側プロテクタ１２８の変形挙動は、図５（ａ）の後側ブラケット等の沈み込む方向への座屈を促すことにもつながる。
【００３８】
上記のように、当該固定構造１００では、前側プロテクタ１３２および後側プロテクタ１２８に剛性差を設けていることで、車幅方向外側から荷重がかかった場合に一方側の後側プロテクタ１２８を優先的に変形させて荷重を受け流すことが可能になっている。上述したように、コンバータ１０６がフロアパネル１０４から浮き上がったり、ケーブル１２２から遠ざかる方向へ移動したりすると、ケーブル１２２が引っ張られ、ケーブル１２２の破損および漏電を招くおそれがある。当該固定構造１００であれば、側突時におけるコンバータ１０６の挙動は、後側プロテクタ１２８の優先的な変形によってＰ４方向にわずかに回転しつつケーブル１２２の配索された箇所へ向かって近づくような動きになる。この挙動であれば、ケーブル１２２を引っ張ることがなく、ケーブル１２２の損傷を防ぐことができる。この回転する動作（矢印Ｐ４）の大きさは、脆弱部１４０における前側プロテクタ１３２や後側プロテクタ１２８の他の部位に対する剛性差の程度によって、制御することが可能である。
【００３９】
上記に加えて、図５（ｂ）に示すように、当該固定構造１００では、前側プロテクタ１３２および後側プロテクタ１２８の一部は、車外側のスライドレール１２０ａとフロアパネル１０４との間の空間に挿入されている。側面衝突時にサイドシル１１２が車内側に移動してきた場合、スライドレール１２０ａも荷重Ｐ１によって車内側に傾くことがある。したがって、仮に各プロテクタと共にコンバータ１０６がフロアパネル１０４から浮き上がろうとしても、スライドレール１２０ａが前側上部１３２ｂ（図４（ａ）等参照）および後側上部１２８ｂの車外側の箇所に干渉するため、コンバータ１０６の浮き上がりは阻まれる。したがって、ケーブル１２２を引っ張る方向へのコンバータ１０６の移動を防ぎ、上述した沈み込ませる移動（矢印Ｐ２）等を促すことができる。
【００４０】
以上説明したように、当該固定構造１００では、車体変形に伴うコンバータ１０６の移動を、車内側のフロアパネル１０４に沈み込ませる（図５（ａ）の矢印Ｐ２）など、あらかじめ設定した方向へと導いている。これらによって、当該固定構造１００では、車両衝突時の車体変形の開始から終了までにわたって衝突荷重を吸収してコンバータ１０６を十全に保護するとともに、コンバータ１０６のケーブル１２２を引っ張る方向への移動を防いでケーブル１２２の破損を抑えることが可能になっている。
【００４１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は、車両用電源固定構造に利用することができる。
【符号の説明】
【００４３】
１００…固定構造、１０２…座席、１０４…フロアパネル、１０６…コンバータ、１０８…プロテクタ、１１０…センタトンネル、１１２…サイドシル、１１４…前側クロスメンバ、１１６…後側クロスメンバ、１１８…ブラケット、１２０ａ…車外側のスライドレール、１２０ｂ…車内側のスライドレール、１２２…ケーブル、１２４…貫通孔、１２６…バッテリ、１２８…後側プロテクタ、１２８ａ…後側壁部、１２８ｂ…後側上部、１３０…車外側プロテクタ、１３２…前側プロテクタ、１３２ａ…前側壁部、１３２ｂ…前側上部、１３３ａ…前側プロテクタ、１３３ｂ…後側プロテクタ、１３４ａ、１３４ｂ…脚部、１３６ａ、１３６ｂ…接続部、１３８ａ、１３８ｂ…締結具、１４０…脆弱部、１４２、１４４…切欠き、１４６…肉抜、１４８…山折り部、１５０…谷折り部、Ｐ１…車外側からの荷重、Ｐ２…コンバータの沈み込む動きを示す矢印、Ｐ３…脆弱部の変形を示す矢印、Ｐ４…コンバータの回転を示す矢印、
【図１】
2020011607.tif 000003
【図２】
2020011607.tif 000004
【図３】
2020011607.tif 000005
【図４】
2020011607.tif 000006
【図５】
2020011607.tif 000007